(57)【要約】      （修正有）【課題】差込穴の底部に配置されている複数の接触端子の清掃を簡単且つ充分にできるようにする構造を備えた充電器を提供する。【解決手段】充電器は本体１２とカバー１４で構成される。本体１２は、上部の端子配列面２６に出没自在な一対の接触端子１８を一方向に複数配列し、各接触端子１８に充電電力を印加する。カバー１４は本体１２の端子配列面２６に着脱自在に配置され、接触端子１８に対応して上方に開口した差込口１６を設けている。接触端子１８の清掃時にはカバー１４を外して本体１２の端子配置面２６を端子拭き取り可能に外部に露出させ、布により拭き取る。【選択図】図３
0003158281.tif 000002
【実用新案登録請求の範囲】
【請求項１】
複数の機器を収納して充電する充電器に於いて、
上部の端子配列面に出没自在な一対の接触端子を一方向に複数配列し、各接触端子に充電電力を印加する本体と、
前記本体の端子配列面に着脱自在に配置され、前記接触端子に対応して上方に開口した差込口を設けたカバー部材と、
を備え、前記接触端子の清掃時に前記カバー部材を外して前記本体の端子配置面を端子拭き取り可能に外部に露出させる構造としたことを特徴とする充電器。
【請求項２】
請求項１記載の充電器に於いて、前記接触端子は、前記本体内に収納された基板上にバネ性をもつ導体線の一端を固定し、続いて先端側を上方に付勢する巻バネ部を形成し、前記巻バネ部から片持ち状態で延在した先端に山形に屈曲した山形接触部を形成し、前記山形接触部を前記本体上面に開口したスリットを介して上部に突出させたことを特徴とする充電器。
【請求項３】
請求項１記載の充電器に於いて、前記接触端子に対する清掃方向を、一端の固定側から先端の山形接触部に向かう一方向のみに設定するマーカを設けたことを特徴とする充電器。
【考案の詳細な説明】
【技術分野】
【０００１】
本考案は、フードコート等の店舗や医療機関での利用者の呼び出しに使用される受信機等の機器を充電する充電器に関する。
【背景技術】
【０００２】
従来、フードコートなどで使用する呼出システムにあっては、顧客の注文を受けた時に無線式の受信機を渡し、注文品が出来上がった時に送信機からの無線により受信機を呼出して引き渡すようにしている。
【０００３】
顧客に渡す受信機は電池式であり、待機状態にあっては、複数充電可能な充電器に差し込んで充電を行い、いつでも使用できる状態としている。
【先行技術文献】
【特許文献】
【０００４】
【特許文献１】特開２００６−０３４０６６号公報
【特許文献２】特開平０８−０１７５０３号公報
【特許文献３】特開平０７−３０２６２１号公報
【考案の概要】
【考案が解決しようとする課題】
【０００５】
しかしながら、このような複数の機器を差し込んで充電する充電器にあっては、使用中に充電器の接触端子が汚れ、接触不良を起すので、定期的に接触端子を清掃する必要があるが、従来は、機器の差込口の底部に配置されている接触端子を１つずつ乾いた布で拭くような清掃作業を行っており、差込口の底部を拭く作業となることから手間と時間がかかり、また充分に清掃できていない問題がある。
【０００６】
本考案は、差込穴の底部に配置されている複数の接触端子の清掃を簡単且つ充分にできるようにする構造を備えた充電器を提供することを目的とする。
【課題を解決するための手段】
【０００７】
本考案は、複数の機器を収納して充電する充電器に於いて、
上部の端子配列面に出没自在な一対の接触端子を一方向に複数配列し、各接触端子に充電電力を印加する本体と、
本体の端子配列面に着脱自在に配置され、接触端子に対応して上方に開口した差込口を設けたカバー部材と、
を備え、接触端子の清掃時にカバー部材を外して本体の端子配置面を端子拭き取り可能に外部に露出させる構造としたことを特徴とする。
【０００８】
ここで、接触端子は、本体内に収納された基板上にバネ性をもつ導体線の一端を固定し、続いて先端側を上方に付勢する巻バネ部を形成し、巻バネ部から片持ち状態で延在した先端に山形に屈曲した山形接触部を形成し、山形接触部を本体上面に開口したスリットを介して上部に突出させる。
【０００９】
接触端子に対する清掃方向を、一端の固定側から先端の山形接触部に向かう一方向のみに設定するマーカを設ける。
【考案の効果】
【００１０】
本考案の充電器にあっては、上部の端子配置面に複数の接触端子を配列した本体に対し、接触端子に対応して機器の差込口を設けたカバー部材を着脱自在に設け、清掃時にカバー部材を外して本体の端子配置面を外部に露出させる構造としたため、接触端子の清掃は、カバー部材を外して本体の端子配列面を露出させた状態で乾いた布により端子配置面を拭き取ることで、複数の接触端子の先端の接触部分の汚れを除去することができ、接触端子を簡単且つ確実に清掃することができる。
【００１１】
また本体の端子配置面には、バネ性をもつ導体線を屈曲して形成した接触端子先端の山形接触部が飛び出しており、所定方向に布で擦ると、接触端子の山形接触部が弾撥的に押し込まれ、反力で押し返しながら布により擦られることで確実に清掃できる。
【図面の簡単な説明】
【００１２】
【図１】本考案による充電器の実施形態を平面、正面及び側面の各々について示した説明図
【図２】図１の実施形態に受信機を指して充電する様子を示した説明図
【図３】図１の実施形態について本体からカバーを外した状態を示した説明図
【図４】図１の実施形態に対する接触端子の清掃作業を示した説明図
【図５】図１の実施形態における受信機収納時の接触端子の動きを示した断面図
【図６】図１の実施形態における清掃時の接触端子の動き示した断面図
【図７】図１に対し差込口を半分とした他の実施形態を平面、正面及び側面の各々について示した説明図
【考案を実施するための形態】
【００１３】
図１は本考案による充電器の実施形態を示した説明図であり、図１（Ａ）に平面、図１（Ｂ）に正面、及び図１（Ｃ）に側面を示している。図１において、本実施形態の充電器は本体１２とカバー１４で構成され、本体１２に対しカバー１４は着脱自在に設けられている。
【００１４】
本体１２は図１（Ｃ）に示すように、左側の側端にＡＣアダプタ接続口２０を設けており、ここにＡＣアダプタを接続することで、商用交流電源から所定のＤＣに変換された電源供給を受けるようにしている。また本体１２の左側上部には電源スイッチ２２が設けられており、充電の際には電源スイッチ２２をオン操作する。
【００１５】
本体１２の上部に着脱自在に設けたカバー１４には、図１（Ａ）の平面から明らかなように、例えば１０個の差込口１６が形成されており、差込口１６に対しては充電を行う機器、本実施形態にあっては後の説明で明らかにするように携帯型の受信機を差し込んで充電するようにしている。
【００１６】
カバー１４に形成した差込口１６に相対した本体１２の上面となる端子配列面上には、一対の接触端子１８が本体１２の長手方向に差込口１６で決まる一定間隔で１０セット分、配列されている。
【００１７】
接触端子１８はバネ性を持つ導体線の先端を山形に屈曲した山形接触部を、カバー１４の差込口１６の底部となる本体１２の上面に突出しており、ここに充電する機器として例えば受信機を差し込むことで、受信機底部に設けられた接触金具に一対の接触端子１８が接触し、本体１２の内部の基板から供給されるＤＣ充電電力による充電を行うことになる。
【００１８】
また本体１２とカバー１４の間には、図１（Ｂ）の正面に示すように、本体１２側に基準マーカ３０を設け、カバー１４側にロックマーカ３２とオープンマーカ３４を設け、本体１２に対しカバー１４を着脱する際の位置表示を行っている。
【００１９】
即ち、本体１２の基準マーカ３０に、図示のようにカバー１４のロックマーカ３２が位置合せされた状態で、カバー１４は本体１２に嵌合している。この状態でカバー１４を左側にずらして本体１２の基準マーカ３０にオープンマーカ３４を合わせると、カバー１４を取り外すことができる。取り外したカバー１４を本体１２に装着するときには、基準マーカ３０にオープンマーカ３４を位置合せし、右側にカバー１４をスライドして基準マーカ３０にロックマーカ３２を合わせることで、嵌合固定できる。
【００２０】
図２は図１の実施形態に充電対象機器となる受信機を差して充電する様子を示した説明図である。充電器１０の本体１２上に装着したカバー１４には、本体１２の長手方向に向かって１０個の差込口１６が設けられており、充電対象機器として、例えばフードコートなどで注文した顧客に渡して呼出しを行う受信機２４を充電したい際には、受信機２４の底部に充電端子に接触する接触金具が設けられていることから、差込口１６に差し込むことで、本体１２の上面に突出している図１に示した接触端子１８に接触して充電が行われる。
【００２１】
図３は図１の実施形態について本体からカバーを外した状態を示した説明図である。図３において、本体１２の上面は端子配列面２６となっており、一対の接触端子１８を長手方向に１０セット、一定間隔で配列している。
【００２２】
端子配列面２６の両側の３箇所には嵌合溝３８が形成されている。嵌合溝３８に対応して、カバー１４の下部両側の３箇所には嵌合爪３６が設けられている。本体１２にカバー１４を装着する際には、嵌合溝３８に嵌合爪３６を位置合せし、カバー１４を右側に押すことで、嵌合溝３８に入った嵌合爪３６が噛み合って固定関係を作り出す。
【００２３】
このような嵌合溝３８に対する嵌合爪３６によるカバー１４の着脱のための位置合せは、図１（Ｂ）に示した本体１２の基準マーカ３０とカバー１４側のロックマーカ３２及びオープンマーカ３４を使用して、嵌合溝３８や嵌合爪３６の位置合せを必要とすることなく、マーカを使用することで容易にできるようにしている。
【００２４】
また本体１２の端子配列面２６上には、接触端子１８を乾いた布などで擦って清掃する際の清掃方向を示す矢印となる清掃方向マーカ４０が表示されている。
【００２５】
図４は図１の実施形態に対する接触端子の清掃作業を示した説明図である。図４において、接触端子の清掃を行う際には、図３に示したように、本体１２からカバー１４を取り外して本体１２の端子配列面２６を露出させ、この状態で乾いた布４２により端子配列面２６を図３に示した清掃方向マーカ４０で示す方向即ち矢印Ａで示す方向に拭き取ることで、接触端子１８の清掃作業を行うことができる。
【００２６】
本実施形態にあっては、布４２による清掃方向は矢印Ａで示す一方向に限定されており、これは接触端子１８の構造に起因しており、逆方向からの拭き取りは接触端子１８を傷めることから行わないようにしている。また接触端子１８の清掃作業は、布４２により端子接触面２６を矢印Ａ方向に拭き取るだけの作業でよいことから、接触端子１８を１つずつ清掃する場合に比べて極めて簡単な清掃作業とすることができる。
【００２７】
図５は図１の実施形態における受信機収納時の接触端子の動きを示した断面図である。図５において、本体１２の内部には基板２８が配置されており、基板２８上に接触端子１８を支持している。
【００２８】
接触端子１８は、左側の固定部１８ａを基板２８に下向きに挿入して下側でハンダ付けにより固定している。固定部１８ａに続いては、１回巻き回した巻きバネ部１８ｂを形成し、巻きバネ部１８ｂから延在した先端部を山型に屈曲して山型接触部１８ｃを形成し、更にその先端にストッパ部１８ｄを形成している。
【００２９】
接触端子１８はバネ性を持った導体線で形成されており、固定部１８ａに対し巻きバネ部１８ｂを形成することで、先端側の山型接触部１８ｃを上向き方向に付勢している。本体１２の上面となる端子配列面にはスリット２５が形成されており、スリット２５の中に下側から接触端子１８の山型接触部１８ｃが入り込んで先端を上部に突出している。
【００３０】
スリット２５から突出した接触端子１８の山型接触部１８ｃに対応してカバー１４の差込口１６が形成されており、受信機２４を充電する際には、上部から差込口１６に受信機２４を差し込んで、底部の接触金具を接触端子１８に接触させる。このとき受信機２４を差込口１６に矢印Ｂのように収納すると、受信機２４の底部の接触金具が山型接触部１８ｃの先端に当接し、続いて１８’に示すように接触端子１８が押し込まれて、巻きバネ部１８ｂによる付勢を受けて、山型接触部１８ｃを受信機２４の底部接触金具に押し付けた状態で充電を行うことになる。
【００３１】
受信機２４の底部の接触金具が接触端子１８の山型接触部１８ｃに接触して下側に押し込まれて、接触金具１８が１８’に示す位置に矢印Ｃで示すように動くときに、先端部が前後方向のみならず横方向にも移動する動きを生じ、これによって受信機２４の底部の接触金具と接触端子１８の山型接触部１８ｃが同じ接触点を維持するのではなく、接触点を擦って移動しながら下側に押し込まれることとなり、このような受信機２４の接触金具と山型接触部１８ｃの擦れを伴う変位により接触部の汚れが除去されて、充電のための電気的な接触をより確実に行うことができる。
【００３２】
図６は図１の実施形態における清掃時の接触端子の動きを示した断面図である。図６において、清掃時には、図４に示したようにカバー１４を外して本体１２の端子配列面２６を上部に露出させ、矢印Ａで示す方向に乾いた布で端子配列面２６を拭き取るように清掃する。
【００３３】
このような矢印Ａ方向の布の拭き取りを受けて、接触端子１８は矢印Ｄに示すように下側に押し込まれて１８‘で示す位置に動き、布の拭き取りによる押し込みによって、山型接触部１８ｃの先端側から左側の接触面を擦りながら布が移動し、接触端子１８の汚れを確実に除去することができる。
【００３４】
一方、接触端子１８を矢印Ａとは反対の右側から布で擦って清掃しようすると、山型接触部１８ｃに布が当たって接触端子１８を外側に引き起こすような力が加わって、接触端子１８を異常変形させることから、矢印Ａとは反対方向からの布による拭き取りは行わないようにしている。
【００３５】
図７は本考案による充電器の他の実施形態を示した説明図であり、図１の実施形態に対し差込口を半分の５つとしたことを特徴とし、図７（Ａ）に平面、図７（Ｂ）に正面、図７（Ｃ）に側面を示している。
【００３６】
図7の実施形態にあっても、本体１２の上部にカバー１４が着脱自在に設けられ、カバー１４には上方に開口して５つの差込口１６が形成され、差込口１６に相対した本体１２の端子配列面に一対の接触端子１８を５セット、一定間隔で差込口１６の底部中央に位置するように配置している。
【００３７】
また本体１２にはＡＣアダプタ接続口２０と電源スイッチ２２が設けられ、また本体１２とカバー１４の側面には、カバー１４の着脱の際の位置合せを行うため、基準マーカ３０、ロックマーカ３２及びオープンマーカ３４が設けられている。
【００３８】
この実施形態にあっても、接触端子１８を清掃する際には、カバー１４を本体１２から取り外し、本体１２の図示の状態で右側から左側に乾いた布で端子配列面を擦ることで、図１の実施形態と同様に簡単に接触端子１８の清掃を行うことができる。
【００３９】
なお上記の実施形態はフードコートなどの呼出しに使用する電池内蔵型の無線式の受信機２４を充電する充電器を例に取るものであったが、本考案はこれに限定されず、適宜の電池駆動式の機器を充電する充電器につきそのまま適用することができる。
【００４０】
また上記の実施形態における同時に充電可能なカバー１４に設けた差込口１６の数は必要に応じて適宜に設けることができ、複数の差込口１６を設ける場合に限定されず、差込口が１つであってもよい。
【００４１】
また本考案はその目的と利点を損なうことのない適宜の変形を含み、更に上記の実施形態に示した数値による限定は受けない。
【符号の説明】
【００４２】
１０：充電器
１２：本体
１４：カバー
１６：差込口
１８：接触端子
２０：ＡＣアダプタ接続口
２２：電源スイッチ
２４：受信機
２５：スリット
２６：端子配列面
２８：接触端子
２８ａ：固定部
２８ｂ：巻バネ部
２８ｃ：山形接触部
２８ｄ：ストッパ部
３０：基準マーカ
３２：ロックマーカ
３４：オープンマーカ
３６：嵌合爪
３８：嵌合溝
４０：清掃方向マーカ
【図１】
0003158281.tif 000003
【図２】
0003158281.tif 000004
【図３】
0003158281.tif 000005
【図４】
0003158281.tif 000006
【図５】
0003158281.tif 000007
【図６】
0003158281.tif 000008
【図７】
0003158281.tif 000009